(57)【要約】【課題】通信相手が１つの通信方式の排出装置に限定されず、且つ無駄な通信時間をできるだけ抑えて効率的に通信を行い得る加熱調理器を提供する。【解決手段】加熱調理器１は、切替スイッチ６０を備えている。切替スイッチ６０は、複数のスイッチ状態に切り替え可能に構成されるとともに外部操作に応じていずれかのスイッチ状態に切り替わる構成をなし、外部からの操作が加えられていないときには選択されているスイッチ状態で保持される。無線通信部は、切替スイッチ６０で切り替え可能な複数のスイッチ状態のそれぞれに対応する通信方式が定められ、排出装置１００に対し、切替スイッチ６０で保持されているスイッチ状態に対応する通信方式で無線信号を送信する。【選択図】図３
2018036023.tif 000002
【特許請求の範囲】
【請求項１】
加熱動作を行う加熱部と、
複数のスイッチ状態に切り替え可能に構成されるとともに外部操作に応じていずれかのスイッチ状態に切り替わる構成をなし、外部からの操作が加えられていないときには選択されているスイッチ状態で保持される切替スイッチと、
前記切替スイッチで切り替え可能な複数のスイッチ状態のそれぞれに対応する通信方式が定められ、前記加熱部の加熱動作によって生じる排気ガスを排出する排出装置に対し、前記切替スイッチで保持されているスイッチ状態に対応する通信方式で無線信号を送信する無線通信部と、
を有する加熱調理器。
【請求項２】
前記切替スイッチは、外部操作に応じて変位する１又は複数の操作部を備え、
前記操作部は外部からの操作が加えられていないときに変位が保持される構成をなし、
前記切替スイッチは、１つの前記操作部の変位又は複数の前記操作部の変位の組み合わせによってスイッチ状態が定まる請求項１に記載の加熱調理器。
【発明の詳細な説明】
【技術分野】
【０００１】
本発明は、加熱調理器に関するものである。
【背景技術】
【０００２】
従来から提供されている加熱調理器の例として特許文献１のようなものが存在する。特許文献１で開示される加熱器具は、加熱手段の加熱動作に伴って発生する排気ガスを外部に排出する排気手段と連係して使用され、排気手段に対する作動指令を無線信号にて指令する無線式指令手段を備えている。
【先行技術文献】
【特許文献】
【０００３】
【特許文献１】特開２００６−２５８３２４号公報
【発明の概要】
【発明が解決しようとする課題】
【０００４】
ところで、加熱調理器から無線信号を送信し、離れた位置に配置された排気手段に作動指令を与える場合、加熱調理器で適用される無線通信方式と、排気手段に適用される無線通信方式とが異なると両装置間で通信が適正に行われないことになる。このため、加熱調理器を設置する場合、この加熱調理器の通信方式に適合した排気手段を組み合わせて適用しなければならず、排気手段の選定が制限されていた。
【０００５】
これに対し、特許文献１で開示される加熱器具は、複数種の通信形態が適用可能とされており、無線式指令手段が作動指令を発信する場合には、複数種の通信形態にて順次指令するように構成されている。このような構成によれば、排気手段の通信方式が１つの方式に限定されず、加熱調理器に組み合わせることが可能な排気手段の候補を増やすことができる。
【０００６】
しかし、特許文献１の加熱器具のような方法では、無線通信を行う度に複数種類の方式で通信を行わなければならず、通信時間の遅延や消費電力の増大を招きやすいという問題がある。
【０００７】
本発明は、上述した課題を解決するためになされたものであり、通信相手が１つの通信方式の排出装置に限定されず、且つ無駄な通信時間をできるだけ抑えて効率的に通信を行い得る加熱調理器を提供することを目的とするものである。
【課題を解決するための手段】
【０００８】
本発明の加熱調理器は、
加熱動作を行う加熱部と、
複数のスイッチ状態に切り替え可能に構成されるとともに外部操作に応じていずれかのスイッチ状態に切り替わる構成をなし、外部からの操作が加えられていないときには選択されているスイッチ状態で保持される切替スイッチと、
前記切替スイッチで切り替え可能な複数のスイッチ状態のそれぞれに対応する通信方式が定められ、前記加熱部の加熱動作によって生じる排気ガスを排出する排出装置に対し、前記切替スイッチで保持されているスイッチ状態に対応する通信方式で無線信号を送信する無線通信部と、
を有する。
【発明の効果】
【０００９】
上記加熱調理器は切替スイッチを有しており、この切替スイッチは、複数のスイッチ状態に切り替え可能に構成されるとともに外部操作に応じていずれかのスイッチ状態に切り替わる構成をなし、外部からの操作が加えられていないときには選択されているスイッチ状態で保持される。このような切替スイッチが設けられているため、使用者は、操作によって所望のスイッチ状態（希望する通信方式を指定するスイッチ状態）に切り替えることができ、そのような指定状態で保持しておくことができる。また、切替スイッチが、通信対象となる排出装置の通信方式と異なる通信方式を指定している場合、排出装置の通信方式に合った通信方式を指定するスイッチ状態に切り替えるように操作部を操作することで、指定内容を更新することができる。
【００１０】
そして、無線通信部は、切替スイッチで切り替え可能な複数のスイッチ状態のそれぞれに対応する通信方式が定められ、加熱部の加熱動作によって生じる排気ガスを排出する排出装置に対し、切替スイッチで保持されているスイッチ状態に対応する通信方式で無線信号を送信する。このように、自由度の高い更新を可能としつつ、排出装置に合った通信方式を指定する指定状態の保持を可能とすることで、その後に無線通信部が無線信号を送信する場合には、排出装置の通信方式に合った通信方式で迅速かつ効率的に通信を行うことができる。
【図面の簡単な説明】
【００１１】
【図１】図１は、実施例１の加熱調理器を例示する斜視図である。
【図２】図２は、実施例１の加熱調理器と排出装置とが組み合わされた調理器システムを概略的に例示する説明図である。
【図３】図３は、図１の加熱調理器の電気的構成を、排出装置の電気的構成と共に例示するブロック図である。
【図４】図４は、図１の加熱調理器に設けられた設定パネルの構成を例示する説明図である。
【図５】図５は、赤外線信号の信号構成を概念的に説明する説明図である。
【図６】図６（Ａ）は、切替スイッチを概略的に例示する平面図であり、図６（Ｂ）は、切替スイッチの回路を簡略的に示す回路図である。
【図７】図７は、各設定方式とコマンド（指令）との対応関係を概念的に説明する説明図である。
【発明を実施するための形態】
【００１２】
本発明の好ましい形態を以下に例示する。
切替スイッチは、外部操作に応じて変位する１又は複数の操作部を備えていてもよい。操作部は外部からの操作が加えられていないときに変位が保持される構成をなし、切替スイッチは、１つの操作部の変位又は複数の操作部の変位の組み合わせによってスイッチ状態が定まる構成であってもよい。
【００１３】
このような構成をなす加熱調理器は、操作によって操作部の変位を調整することで希望する通信方式を指定することができるようになり、しかも、操作部の変位を視認することで、どのような切り替え状態となっているか（即ち、どの通信方式が指定されているのか）を視覚的に把握することが可能となる。
【００１４】
＜実施例１＞
以下、実施例１について、図面を参照して説明する。
図１で示す加熱調理器１は、加熱部としてのガスバーナを備えたガスコンロとして構成される。なお、図１２において、左斜め下方、右斜め上方、右斜め下方、左斜め上方を、夫々、加熱調理器１の前方、後方、右方、左方とする。具体的には、板状に構成されたトッププレート３の板面方向のうち、短手方向が前後方向であり、長手方向が左右方向である。トッププレート３の板厚方向が上下方向である。
【００１５】
図１で示す加熱調理器１は、図２で示すようにキッチンＫのカウンタトップに設けられた開口に落とし込まれて設置されるビルトインコンロである。加熱調理器１は略直方体状の器具本体２を備える。器具本体２の上部には、トッププレート３（天板）が取り付けられている。トッププレート３において右手前（右端寄りかつ前端寄りの位置）には右バーナ４、左手前（左端寄りかつ前端寄りの位置）には左バーナ５、中央奥側には奥バーナ６が夫々設けられている。なお、詳述しないが、各種バーナ４〜６の夫々には、点火する為のイグナイタ２７（図３参照）が設けられている。トッププレート３において後端寄りの位置には、器具本体２内に設置されるグリル庫（図示略）と連通するグリル排気口７が設けられている。
【００１６】
器具本体２の前面中央には、グリル扉８が設けられている。グリル扉８は、グリル庫内に設けられたレールユニット（図示略）によって前後方向にスライド可能である。グリル扉８の前面上部には取手部９が設けられている。使用者は、取手部９に下側から指を掛けてグリル扉８を手前側に引き出すと、レールユニットによる伸長動作により、図示しない焼き網と受皿をグリル庫から外部に同時に取り出すことができる。
【００１７】
器具本体２の前面の右上角部には、加熱調理器１の電源をオンオフする為に押下される電源スイッチ１０が設けられている。その電源スイッチ１０の下側には、右側から左側に向かって順に、正面視円形状の点火ボタン１１〜１３が横一列に夫々設けられている。グリル扉８の左側にも、点火ボタン１１〜１３と同一高さ位置に、正面視円形状の点火ボタン１４が設けられている。
【００１８】
点火ボタン１１は右バーナ４、点火ボタン１２は左バーナ５、点火ボタン１３は奥バーナ６、点火ボタン１４はグリル庫内のグリルバーナ（図示略）を点火／消火する為に夫々押下される。点火ボタン１１〜１４は、点火の為に押下されると、周知のプッシュオン・プッシュオフ機構（図示略）によって、器具本体２前面から前方に円柱状に突出し、この突出した状態で回動操作が可能となる。使用者は、点火ボタン１１〜１４を夫々回動させることによって、各種バーナ４〜６又はグリルバーナの火力調節ができる。点火ボタン１２の下方には、電池交換ランプ３３が設けられている。なお、右バーナ４、左バーナ５、奥バーナ６、グリルバーナ（図示略）のそれぞれは、加熱部の一例に相当する。
【００１９】
電池交換ランプ３３の下方にはパネル１６が設けられ、点火ボタン１４の下方にはパネル１７が設けられている。パネル１６を指で押し込むと、周知のプッシュオン・プッシュオフ機構（図示略）によって、パネル１６の背面に固定されたコンロ用操作パネル２２が下部を基点に前方に回動して引き出される（図１の二点鎖線の図を参照）。パネル１７を指で押し込むと、上記同機構によって、パネル１７の背面に固定された板状のグリル用操作パネル（図３参照）が下部を基点に前方に回動して引き出される。これらパネル１６，１７を器具本体２側に再度押し込むことによって、コンロ用操作パネル２２及びグリル用操作パネル２３が、器具本体２の内側に収納され、パネル１６，１７が器具本体２の前面に対して面一となる。
【００２０】
図３では、コンロ用操作パネル２２及びグリル用操作パネル２３を共通のブロックで示しており、操作パネル回路８３を共通のブロックで示しているが、コンロ用操作パネル２２及びグリル用操作パネル２３は各位置に夫々個別に設けられ、コンロ用操作パネル２２及びグリル用操作パネル２３の各々に対応する操作パネル回路８３が個別に設けられている。図４のように、コンロ用操作パネル２２は、複数の操作ボタン２２Ａ〜２２Ｋを備えている。操作ボタン２２Ａ〜２２Ｅは、左バーナ５を備えて構成される左コンロ用のスイッチであり、夫々が押しボタンとして構成されている。また、操作パネル２２には、操作ボタン２２Ａ〜２２Ｅに対応する表示部として７セグメント方式の表示が可能な表示部２２Ｙが設けられている。操作ボタン２２Ｆは、奥バーナ６を備えて構成される後コンロ用のスイッチであり、押釦として構成されている。操作ボタン２２Ｇ〜２２Ｋは、右バーナ４を備えて構成される右コンロ用のスイッチであり、夫々が押しボタンとして構成されている。操作パネル２２には、操作ボタン２２Ｇ〜２２Ｋに対応する表示部として７セグメント方式の表示が可能な表示部２２Ｚが設けられている。なお、グリル用操作パネル２３の具体的な構成の図示は省略しているが、図４で示す構成に類似した構成とすることができる。
【００２１】
本実施例において、加熱調理器１は、電源スイッチ１０の操作によって、電源オフ状態及び電源オン状態に切り替わる構成をなす。電源オフ状態とは、電源がオフした状態であり、点火ボタン１１〜１３、コンロ用操作パネル２２、グリル用操作パネル２３等の各種操作を受け付けない状態をいう。電源オン状態とは、電源がオンした状態であるとともに、加熱調理器１の各種回路に電流を流すことが可能な状態であり、点火ボタン１１〜１３、コンロ用操作パネル２２、グリル用操作パネル２３等の各種操作を受け付けて動作する状態をいう。
【００２２】
図３を参照し、加熱調理器１の電気的構成について説明する。加熱調理器１は制御回路７０を備える。制御回路７０は、ＣＰＵ７１、ＲＯＭ７２、ＲＡＭ７３、フラッシュメモリ７４、タイマ７５等を備える。ＣＰＵ７１は加熱調理器１の各種動作を統括制御する。ＲＯＭ７２は加熱調理器１の各種制御プログラムなどを記憶する。ＲＡＭ７３は、加熱調理器１の各種情報などを記憶する。フラッシュメモリ７４は、加熱調理器１の各種設定情報を記憶する。
【００２３】
制御回路７０には、電源回路８１、スイッチ入力回路８２、操作パネル回路８３、点火ボタン操作回路８４、イグナイタ回路８５、電磁弁回路８６、駆動回路９１等が各々接続されている。
【００２４】
電源回路８１は、公知の電源回路として構成されており、電力供給を行う電源部の一例に相当する。この電源回路８１は、電池ボックス（図示略）に搭載される２つの乾電池１５からの電力供給に基づいて各種回路に印加する電源電圧を生成する機能を有する。また、電源回路８１に付随する回路として、乾電池電圧を検出する検出回路も設けられ、この回路は乾電池電圧を監視する機能を有する。スイッチ入力回路８２は電源スイッチ１０の押下を検出する。
【００２５】
操作パネル回路８３は、コンロ用操作パネル２２及びグリル用操作パネル（図示略）の各種操作を検出し、制御回路７０に入力する。点火ボタン操作回路８４は点火ボタン１１〜１４の押下、及び回動操作を検出し、制御回路７０に入力する。イグナイタ回路８５は、制御回路７０からの指令を受け、各種バーナ４〜６及びグリルバーナの夫々に設けられたイグナイタ２７を駆動する。電磁弁回路８６は、制御回路７０からの指令を受け、各種バーナ４〜６及びグリルバーナの夫々のガス供給管（図示略）に設けられた安全弁及び火力調整弁等の各種電磁弁２８を制御する。図３では、複数のイグナイタをイグナイタ２７とまとめて称し、複数の電磁弁を電磁弁２８とまとめて称している。
【００２６】
通信部９２は、赤外光を発生可能な赤外線ＬＥＤなどの公知の発光素子によって構成され、発光素子のオンオフ動作によって赤外線信号を送信し得る構成となる。駆動回路９１は、制御回路７０からの指令に基づいて通信部９２を駆動する回路である。発光素子は、例えば、図１、図２で示す発信部４１，４２などに設けることができる。赤外線通信は、図２のように発信部４１，４２に組み込まれた発光素子から発せられる赤外光をユーザＰに当て、ユーザＰから反射する光を排出装置（排気装置）１００の受信部１０２（赤外光受信部）が受信する方式であってもよく、発光素子から発せられる赤外光が床などに当たり、床などから反射する光を排出装置１００の受信部１０２が受信する方式であってもよい。
【００２７】
なお、通信相手となる排出装置１００は、換気扇を有する公知のレンジフードとして構成され、各右バーナ４、左バーナ５、奥バーナ６、グリルバーナ（加熱部）の加熱動作によって生じる排気ガスを排出する機能を有する。排出装置１００は、図３のように、赤外線信号を受信する受信部１０２と、受信部１０２で受信した赤外線信号を解析する制御装置１０４と、制御装置１０４によって駆動される駆動負荷１０６（換気扇）とを備え、制御装置１０４の制御によって駆動負荷１０６が駆動される構成となっている。
【００２８】
加熱調理器１には、図３で示す回路以外にも、音声合成回路やスピーカなどからなる音声装置、発光制御回路や発光部などからなる発光装置、ブザー回路などを設けることができ、図３ではこれらの回路の図示を省略している。
【００２９】
次に、加熱調理器１で行われる赤外線通信について図５を参照して説明する。
通信部９２から送信される赤外線信号Ｓは、赤外線通信規格に準拠した信号とすることができる。例えば、特定のデューティー比（例えば、１／３）であり且つ周波数が特定周波数（例えば、３７．９１７[kHz]）のパルス信号をキャリアとして使用し、図５に示すように、キャリアの有る時間（キャリア有時間）Ｔｏｎとキャリアの無い時間（キャリア無時間）Ｔｏｆｆの組合せで構成されている。赤外線信号Ｓは、ヘッダー部Ｓｈとデータ部Ｓｄからなり、送信信号Ｓの長さ（ワード長）は、ｔ１のヘッダー長も含めてｔ２以下としている。ヘッダー部はｔ１１のキャリア有時間Ｔｏｎとその後に続くｔ１２のキャリア無時間Ｔｏｆｆで構成される。データ部Ｓｄは符号化構成が異なる２種の符号「０」及び「１」で構成されている。符号「０」は、ｔ２１のキャリア有時間とその後に同時間続くｔ２２のキャリア無時間とで構成される時間ｔ２３の信号で符号化される。符号「１」は、ｔ２１のキャリア有時間とこれに続くｔ２４のキャリア無時間とで構成される時間ｔ２５の信号で符号化される。
【００３０】
一方、データ部Ｓｄの符号列を構成するコマンドコードＤは、レンジフードとして構成される排出装置１００の種類に対応すべきコードである必要がある。例えば、加熱調理器１と組み合わせて使用可能な排出装置として２種類の排出装置が存在し、一方の種類の排出装置は第１の通信方式で赤外線通信を行う装置であり、他方の排出装置は第２の通信方式で赤外線通信を行う装置である場合、加熱調理器１の通信相手となる排出装置１００が第１の通信方式で赤外線通信を行う装置であれば、第１の通信方式のコード体系に従って排出装置１００にコマンドを与える必要がある。加熱調理器１の通信相手となる排出装置１００が第２の通信方式で赤外線通信を行う装置であれば、第２の通信方式のコード体系に従って排出装置１００にコマンドを与える必要がある。
【００３１】
次に、切替スイッチ６０によって通信方式を指定する構造について説明する。切替スイッチ６０は、いわゆるＤＩＰスイッチ（Dual In-line Package switch）として構成されており、複数のスイッチ状態に切り替え可能に構成されるとともに外部操作に応じていずれかのスイッチ状態に切り替わる構成をなし、外部からの操作が加えられていないときには選択されているスイッチ状態で保持される構成をなす。図１の例では、開閉可能なパネル１６の後方側に切替スイッチ６０が配置され、パネル１６が開放した状態で切替スイッチ６０が外部に露出してアクセス可能となり、且つ操作可能となるように構成されている。また、図１の二点鎖線のようにパネル１６が前側に傾倒して開放した状態では、切替スイッチ６０に設けられた各操作部６１Ａ、６２Ａの位置が視認できるようになっている。
【００３２】
切替スイッチ６０は、操作部を備えたスイッチ部を複数有しており、図６の例では、第１スイッチ部６１、第２スイッチ部６２）が設けられている。これら複数のスイッチ部６１、６２のうち、複数のスイッチ部によって通信方式を指定する構成であってもよく、いずれかのスイッチ部のみによって通信方式を指定する構成であってもよい。以下の説明では、第１スイッチ部６１によって通信方式を指定する例について説明する。
【００３３】
切替スイッチ６０は、外部操作に応じて変位する操作部６１Ａを備えており、操作部６１Ａは外部からの操作が加えられていないときには変位が保持される構成をなす。例えば、図６（Ａ）では、操作部６１Ａが第１位置にある状態を示しており、この状態で操作部６１Ａに対する外部からの操作がなされていない場合には、操作部６１Ａは、第１位置で保持される。第１スイッチ部６１は、図６（Ｂ）のような回路構成をなし、操作部６１Ａが第１位置にある場合、端子６１Ｂと端子６１Ｃを導通させないオフ状態となる。操作部６１Ａが、図６（Ａ）の符号Ｚで示す第２位置にある場合、端子６１Ｂと端子６１Ｃを導通させるオン状態となる。なお、操作部６１Ａが第２位置にある状態でも、外部からの操作がなされていない場合には、操作部６１Ａは、第２位置で保持される。
【００３４】
このように、切替スイッチ６０は、１つの操作部６１Ａの変位によってスイッチ状態（通信方式に関するスイッチ状態）が定まる構成となっている。なお、本構成では、制御回路７０が、切替スイッチ６０における第１スイッチ部６１のスイッチ状態及び第２スイッチ部６２のスイッチ状態を把握し得る構成となっている。具体的には、制御回路７０は、端子６１Ｂ，６１Ｃ間が導通しているか否か、及び端子６２Ｂ，６２Ｃ間が導通しているか否かを判定可能となっている。
【００３５】
次に、赤外線通信によって排出装置１００を連動させる動作について説明する。
本構成では、予め定められた複数の通信タイミングのそれぞれで赤外線通信を行う。具体的には、各通信タイミングに対応するコマンドが用意されており、例えば、第１の通信タイミングに対応するコマンドとしてコマンド１（第１指令）が用意され、第２の通信タイミングに対応するコマンドとしてコマンド２（第２指令）が用意され、第３の通信タイミングに対応するコマンドとしてコマンド３（第３指令）が用意されている。制御回路７０は、排出装置（レンジフード）連動機能がオン状態であるときにいずれかの通信タイミングが到来した場合、その通信タイミングに対応するコマンドを赤外線通信によって送信する。
【００３６】
加熱調理器１から排出装置１００に与えるコマンドとしては、換気扇の動作を開始させるコマンド、換気扇の動作を停止させるコマンド、照明光を照射させるコマンド、照明光の照射を停止させるコマンド、風量を増加させるコマンド、風量を減少させるコマンドなど、様々なコマンドが挙げられる。排出装置１００は、加熱調理器１から送信されたコマンドを赤外線信号として受信した場合、受信したコマンドで指示される動作を行う。例えば、換気扇の動作を開始させるコマンドを含んだ赤外線信号を受信した場合、排出装置１００に含まれる図示しない換気扇の動作を開始させる。
【００３７】
例えば、加熱調理器１に設けられた複数のガスバーナのいずれかが点火されたときが「第１の通信タイミング」となっており、制御回路７０は、第１の通信タイミングの到来に応じて、排出装置１００に対しコマンド１（第１の指令）の赤外線信号を送信する。コマンド１（第１の指令）は、例えば、排出装置１００に設けられた換気扇（図示略）の動作を開始させる指令である。なお、ここで示す「第１の通信タイミング」はあくまで一例であり、別の条件が成立したタイミングであってもよい。また、加熱調理器１において複数のガスバーナのいずれかが点火している状態から全てのガスバーナが消火状態した状態に切り替わってから一定時間経過したタイミングが「第２の通信タイミング」となっており、制御回路７０は、第２の通信タイミングの到来に応じて、排出装置１００に対しコマンド２（第２の指令）の赤外線信号を送信する。コマンド２（第１の指令）は、例えば、換気扇の動作を停止させる指令である。なお、ここで示す「第２の通信タイミング」はあくまで一例であり、別の条件が成立したタイミングであってもよい。
【００３８】
但し、図７のように、各コマンドの具体的情報は赤外線通信の方式毎に異なっており、例えば、図６（Ａ）の実線で示すスイッチ状態１に対応する方式１ではコマンド１（第１の指令）を指令コードＣ１１によって送信し、図６（Ａ）の二点鎖線で示すスイッチ状態２に対応する方式２ではコマンド１（第１の指令）を指令コードＣ１２によって送信する。
【００３９】
具体的には、切替スイッチ６０で指定される赤外線通信方式が第１の方式（方式１）である場合、即ち、操作部６１Ａの位置が第１位置にある場合、方式１のコード体系（図７で示す指令コードＣ１１、Ｃ１２、Ｃ１３、Ｃ１４、Ｃ１５・・・）で赤外線信号を送信する。例えば、上述した第１の通信タイミングが到来したときにはコマンド１（第１の指令）を第１の方式に対応する指令コードＣ１１で送信する。具体的には、選択された指令コードＣ１１が図５で示すデータ部Ｓｄの符号例に組み込まれ、さらにヘッダー部Ｓｈを付した上で、赤外線信号Ｓが送信される。具体的には、ヘッダー部Ｓｈを示すキャリアの有無の時間構成情報と、指令コードＣ１１により決定するデータ部Ｓｄの符号列を示すキャリアの有無の時間構成情報とに基づき、通信部９２に設けられた発光素子の点滅作動により送信されるキャリアの送信時間を制御することで、コマンド１（第１の指令）を示す指令コードＣ１１を含んだ赤外線信号Ｓを送信する。この場合、排出装置１００が方式１のコードを解読可能な装置であれば、この赤外線信号Ｓを受信したときにコマンド１を把握することができ、コマンド１に対応する動作（例えば、換気扇の動作開始）を行うことができる。
【００４０】
一方、切替スイッチ６０で指定される赤外線通信方式が第２の方式である場合、即ち、操作部６１Ａの位置が第２位置にある場合、方式２のコード体系（図７で示す指令コードＣ２１、Ｃ２２、Ｃ２３、Ｃ２４、Ｃ２５・・・）で赤外線信号を送信する。例えば、上述した第１の通信タイミングが到来したときにはコマンド１（第１の指令）を第２の方式に対応する指令コードＣ２１で送信する。具体的には、選択された指令コードＣ２１が図５で示すデータ部Ｓｄの符号例に組み込まれ、さらにヘッダー部Ｓｈを付した上で、赤外線信号Ｓが送信される。この場合、排出装置１００が方式２のコードを解読可能な装置であれば、この赤外線信号Ｓを受信したときにコマンド１を把握することができ、コマンド１に対応する動作（例えば、換気扇の動作開始）を行うことができる。
【００４１】
本構成では、ＣＰＵ７１、駆動回路９１、通信部９２が無線通信部の一例に相当し、切替スイッチ６０で切り替え可能な複数のスイッチ状態のそれぞれに対応する通信方式が定められ、排出装置１００に対し、切替スイッチ６０で保持されているスイッチ状態に対応する通信方式で無線信号を送信する機能を有する。
【００４２】
以下、本構成の効果を例示する。
本構成の加熱調理器１は切替スイッチ６０を有しており、この切替スイッチ６０は、複数のスイッチ状態に切り替え可能に構成されるとともに外部操作に応じていずれかのスイッチ状態に切り替わる構成をなし、外部からの操作が加えられていないときには選択されているスイッチ状態で保持される。このような切替スイッチ６０が設けられているため、使用者は、操作によって所望のスイッチ状態（希望する通信方式を指定するスイッチ状態）に切り替えることができ、指定状態で保持しておくことができる。また、切替スイッチ６０が、通信対象となる排出装置１００の通信方式と異なる通信方式を指定している場合、排出装置１００の通信方式に合った通信方式を指定するスイッチ状態に切り替えるように操作部６１Ａを操作することで、指定内容を更新することができる。
【００４３】
そして、無線通信部は、切替スイッチ６０で切り替え可能な複数のスイッチ状態のそれぞれに対応する通信方式が定められ、加熱部の加熱動作によって生じる排気ガスを排出する排出装置１００に対し、切替スイッチ６０で保持されているスイッチ状態に対応する通信方式で無線信号を送信する。このように、自由度の高い更新を可能としつつ、排出装置１００に合った通信方式を指定する指定状態の保持を可能とすることで、その後に無線通信部が無線信号を送信する場合には、排出装置１００の通信方式に合った通信方式で迅速かつ効率的に通信を行うことができる。
【００４４】
切替スイッチ６０は、外部操作に応じて変位する操作部６１Ａを備える。操作部６１Ａは外部からの操作が加えられていないときに変位が保持される構成をなし、切替スイッチ６０は、操作部６１Ａの変位によってスイッチ状態（通信方式を指定する機能に関するスイッチ状態）が定まる構成となっている。このような構成をなす加熱調理器１は、操作によって操作部６１Ａの変位を調整することで希望する通信方式を指定することができるようになり、しかも、操作部６１Ａの変位を視認することで、どのような切り替え状態となっているか（即ち、どの通信方式が指定されているのか）を視覚的に把握することが可能となる。
【００４５】
＜他の実施例＞
本発明は上記記述及び図面によって説明した実施例に限定されるものではなく、例えば次のような例も本発明の技術的範囲に含まれる。
【００４６】
上述した実施例では、複数種類の通信方式の一例を示したが、設定情報が第１の情報で設定された場合に送信するときの通信方式と、第２の情報で設定された場合に送信するときの通信方式とが異なっていればよく、それぞれの通信方式の具体例は上述した例に限定されない。
【００４７】
上述した実施例では、切替スイッチ６０により２つの通信方式の中からいずれかの通信方式を指定し、その指定した状態を保持しておく方法を例示したが、切替スイッチ６０によって３以上の通信方式の中からいずれかの通信方式を指定し、指定された通信方式が切替スイッチ６０に保持される構成であってもよい。例えば、実施例１では、第１スイッチ部６１がオフ状態であるときを第１の方式の指定状態とし、第１スイッチ部６１がオン状態であるときを第２の方式の指定状態としたが、第１スイッチ部６１がオフ状態且つ第２スイッチ部６２がオフ状態であるときを第１の方式の指定状態とし、第１スイッチ部６１がオン状態且つ第２スイッチ部６２がオフ状態であるときを第２の方式の指定状態とし、第１スイッチ部６１がオン状態且つ第２スイッチ部６２がオフ状態であるときを第３の方式の指定状態とし、第１スイッチ部６１がオン状態且つ第２スイッチ部６２がオン状態であるときを第４の方式の指定状態とするように、３以上の通信方式の中からいずれかの方式を指定するようにしてもよい。
【００４８】
上述した実施例では、記憶部に記憶された設定情報に対応する赤外線通信方式で排出装置１００に対する信号を送信する例を示したが、無線通信の媒体は赤外線に限定されず、電波などのその他の媒体であってもよい。また、第１の通信方式が赤外線通信方式であり、第２の通信方式が電波通信方式であってもよい。
【００４９】
上述した実施例では、切替スイッチ６０としてＤＩＰスイッチを例示したが、人の操作によってスイッチの状態を切り替えることが可能であり、スイッチの状態を切り替えた後、次の切替操作が行われるまでは、切り替えた状態が保持されるスイッチであればよい。タクタイルスイッチ、ロッカースイッチ、トグルスイッチ、サムロータリスイッチなど、公知の様々なスイッチを使用することができる。
【００５０】
上述した実施例では、図１において切替スイッチ６０の位置を例示したが、切替スイッチ１の位置は、パネル１６以外のパネル（取り外し可能又は開閉可能なパネル）の裏側であってもよく、筐体の側面部など、外部に露出した位置であってもよい。いずれにしても、視認可能な位置に配置されていることが望ましい。
【符号の説明】
【００５１】
１…加熱調理器
４…右バーナ（加熱部）
５…左バーナ（加熱部）
６…奥バーナ（加熱部）
６０…切替スイッチ
６１Ａ…操作部
７１…ＣＰＵ（無線通信部）
９１…駆動回路（無線通信部）
９２…通信部（無線通信部）
１００…排出装置
【図１】
2018036023.tif 000003
【図２】
2018036023.tif 000004
【図３】
2018036023.tif 000005
【図４】
2018036023.tif 000006
【図５】
2018036023.tif 000007
【図６】
2018036023.tif 000008
【図７】
2018036023.tif 000009